(57)【要約】【課題】着信履歴からワン切り着信を排除し、別途ワン切り履歴を記録する。【解決手段】着信履歴の記録用に、着信履歴記憶部１０５Ａとワン切り履歴記憶部１０４Ｂを設け、着信毎に着信時間又は着信回数により何れかに振り分けて記録する。着信時間又は着信回数が少ない着信の着信履歴は重複を排してワン切り履歴記憶部１０４Ｂに記録することで、着信履歴記憶部１０５Ａとワン切り履歴記憶部１０４Ｂの記録をワン切り着信で埋め尽くされることを防止することができる。【選択図】        図１
2004242203.tif 000002
【特許請求の範囲】
【請求項１】
着信時の発信者情報を履歴として記録、表示する機能を有する移動通信端末において、
第１の履歴記憶部と、着信中の呼が設定時間以内又は設定着信回数以内に切断した当該呼の発信者情報を前記第１の履歴記憶部に記録する制御を行う制御回路と、を備えることを特徴とする移動通信端末。
【請求項２】
着信時の発信者情報を履歴として記録、表示する機能を有する移動通信端末において、
第１の履歴記憶部と、第２の履歴記憶部と、着信中の呼が設定時間以内又は設定着信回数以内に切断した当該呼の発信者情報を前記第１の履歴記憶部に記録し、設定時間以内又は設定着信回数以内に着信中の呼が切断しなかった当該呼の発信者情報を前記第２の履歴記憶部に記録する制御を行う制御回路と、を備えることを特徴とする移動通信端末。
【請求項３】
前記制御回路は、前記第１の履歴記憶部に対し、既に記録されている発信者情報は記録しないことを特徴とする請求項１又は２記載の移動通信端末。
【請求項４】
前記制御回路の前記第１の履歴記憶部に記録する制御の有効／無効の設定をユーザにより選択可能としたことを特徴とする請求項２又は３記載の移動通信端末。
【請求項５】
前記設定時間又は設定着信回数をユーザにより設定可能としたことを特徴とする請求項１、２、３又は４記載の移動通信端末。
【請求項６】
着信時の発信者情報を履歴として記録、表示する機能を有する移動通信端末において、
第１の履歴記憶部と、第２の履歴記憶部と、着信中の呼が設定時間以内又は設定着信回数以内に切断した当該呼の発信者情報を前記第１の履歴記憶部に記録し、設定時間以内又は設定着信回数以内に着信中の呼が切断しなかった当該呼の発信者情報を前記第２の履歴記憶部に記録する制御、若しくは全ての着信の発信者情報を前記第２の履歴記憶部に記録する制御を行う制御回路を備え、前記制御の何れかをユーザが選択切り替えることが可能であることを特徴とする移動通信端末。
【発明の詳細な説明】
【０００１】
【発明が属する技術分野】
本発明は、携帯電話機等の移動通信端末に関し、特に、迷惑電話対策機能付きの移動通信端末に関する。
【０００２】
【従来の技術】
昨今、ワンコールや短い呼出時間で呼出の呼を切断する迷惑電話（以下、「ワン切り」又は「ワン切り着信」という。）により着信履歴表示に見知らぬ電話番号が多数並び、不快な経験をするユーザが増えている。
【０００３】
かかる通信端末装置のワン切り着信への対策として、着信（呼出）に係る全ての発呼側端末から得られたＩＤ番号、応答／不応答、及び呼出の継続時間を互いに関連付けて着信履歴メモリ部に着信履歴として記憶し、前記着信履歴の発呼側端末のＩＤ番号を表示する際、当該着信の呼出継続時間が所定時間未満の場合に折り返し電話をすることは危険かもしれない旨の表示等を行う着信履歴表示方法が知られている（特許第３３５３８９０号参照）。つまり、呼出継続時間が所定時間以下の不応答の呼出についてワン切り着信である可能性が高いことを知らせるものである。
【０００４】
しかし、このような着信履歴表示方法では、着信履歴メモリ部にはワン切り条件を満足したものも最新のＮ個の呼出について常に登録されるものであり、通常、着信履歴への登録件数は最新の数十件程度しかないので、ワン切りを多数の業者から着信したり、１業者でもワン切りを連続着信すると、着信履歴がワン切り着信により埋め尽くされ、本来有用な着信の記録を失ってしまい、有用な着信記録を失うことによりユーザが多大な損失を被るおそれがあるという問題がある。
【０００５】
【特許文献１】
特許第３３５３８９０号
【０００６】
【発明が解決しようとする課題】
そこで、着信時に発信者の電話番号を着信履歴として記録する着信記録において、着信を検出した時からの経過時間を計測し、計測結果が予め設定された所定の時間以上の場合にのみ当該発信者の電話番号を着信履歴として残す（記録する）ことにより、ワン切りのように短時間しか着信が継続しない着信を着信履歴に残さないようにすることも考えられるが、この場合、ワン切りか否か不明な着信をも履歴記録として完全に排除され、ワン切りへの応答をも不可能とする点で問題もある。つまり、前述のようなワン切りによる弊害があるものの、ワン切り自体が親しいユーザ間等で幅広く利用されている事情等をも考慮すると、ワン切りの履歴を全て消去することは必ずしも適切でない場合もある。
（目的）
本発明の目的は、着信履歴を着信時間又は着信回数の少ない（ワン切り）着信の着信履歴により埋め尽くされることを防止した移動通信端末を提供することにある。
本発明の目的は、ワン切り着信の着信履歴を効率よく残すことを可能とする移動通信端末を提供することにある。
本発明の目的は、本来の着信履歴からワン切り着信を排除するとともに、ワン切り着信をも利用可能とする移動通信端末を提供することにある。
本発明の目的は、ワン切りと判定した呼出については着信履歴表示に記録を残さない機能を有することで、ユーザの不快感を軽減させることを目的とする移動通信端末を提供することにある。
【０００７】
【課題を解決するための手段】
本発明の移動通信端末は、着信時の発信者情報を履歴として記録、表示する機能を有する移動通信端末において、第１の履歴記憶部（図１のワン切り着信履歴記憶部１０５Ｂ）と、着信中の呼が設定時間以内又は設定着信回数以内に切断した当該呼の発信者情報を前記第１の履歴記憶部に記録する制御を行う制御回路（図１の制御系回路１０４）と、を備えることを特徴とする。
【０００８】
本発明の移動通信端末は、着信時の発信者情報を履歴として記録、表示する機能を有する移動通信端末において、第１の履歴記憶部（図１のワン切り着信履歴記憶部１０５Ｂ）と、第２の履歴記憶部（図２の着信履歴記憶部１０５Ａ）と、着信中の呼が設定時間以内又は設定着信回数以内に切断した当該呼の発信者情報を前記第１の履歴記憶部に記録し、設定時間以内又は設定着信回数以内に着信中の呼が切断しなかった当該呼の発信者情報を前記第２の履歴記憶部に記録する制御を行う制御回路（図１の制御系回路１０４）と、を備えることを特徴とする。
【０００９】
前記移動通信端末の前記制御回路は、前記第１の履歴記憶部に対し、既に記録されている発信者情報は記録しないことを特徴とし、前記制御回路の前記第１の履歴記憶部に記録する制御の有効／無効の設定をユーザにより選択可能としたことを特徴とする。更に前記移動通信端末は、前記設定時間又は設定着信回数をユーザにより設定可能としたことを特徴とする。
【００１０】
本発明の移動通信端末は、着信時の発信者情報を履歴として記録、表示する機能を有する移動通信端末において、第１の履歴記憶部（図１のワン切り着信履歴記憶部１０５Ｂ）と、第２の履歴記憶部（図２の着信履歴記憶部１０５Ａ）と、着信中の呼が設定時間以内又は設定着信回数以内に切断した当該呼の発信者情報を前記第１の履歴記憶部に記録し、設定時間以内又は設定着信回数以内に着信中の呼が切断しなかった当該呼の発信者情報を前記第２の履歴記憶部に記録する制御と、若しくは全ての着信の発信者情報を前記第２の履歴記憶部に記録する制御と、を行う制御回路（図１の制御系回路１０４）を備え、前記制御の何れかをユーザが選択切り替えることが可能であることを特徴とする。
【００１１】
【発明の実施の形態】
（構成の説明）
図１は、本発明の実施の形態の移動通信端末としての携帯電話機を示すブロック図である。図１において、１０は携帯電話機、１０１はキーボード、１０２は無線系回路、１０３はディスプレイ、１０４は制御系回路、１０５は記憶回路、１０６は音声系回路、１０７はマイク、１０８はスピーカ、１０９は時計回路である。主要な回路部の機能概要は以下のとおりである。
【００１２】
無線系回路１０２は、基地局との間の音声、データ及び通信制御データ等の送受信信号に関する変復調を含む無線通信機能を有する。キーボード１０１は、発着呼、ダイヤル、着信履歴の動作モードの設定、着信履歴の表示、ワン切り着信履歴に対するコールバック等の各種機能の起動、入力操作を行う入力機能を有する。ディスプレイ１０３は、発着呼、電話番号（発信者番号）、各種の着信履歴等を表示する機能を有する。時計回路１０９は、時刻情報を生成し、制御系回路１０４からの問い合わせに対し、当該問い合わせ時刻の情報を出力する時刻情報の出力機能又はタイマ機能を有する。
【００１３】
記憶回路１０５は、制御系回路１０４の機能を実行する制御プログラム、各種データ等を格納する記憶部の外に、本実施の形態の特徴とする、最新の所定着信数の履歴を記憶する着信履歴記憶部１０５Ａとワン切り履歴記憶部１０５Ｂとを備え、着信履歴記憶部１０５Ａにはワン切り着信以外の着信履歴データを記憶し、ワン切り履歴記憶部１０５Ｂにはワン切りの着信履歴データを記憶する記憶機能を有する。
【００１４】
そして、制御系回路１０４は、記憶回路１０５に格納された制御プログラムにより動作し、携帯電話機の発呼、着呼、基地局への位置登録、ハンドオーバ等の移動通信による通話に必要な各種の制御機能、キーボード１０１、ディスプレイ１０３、記憶回路１０５、音声系回路１０６及び時計回路１０９の間の信号の転送制御及び相互間の機能制御、着信履歴の記憶、動作モードの変更制御、ワン切り履歴を別に記憶するモードにおいては着信がワン切りか否かを着信中の呼の継続時間（着信継続時間ともいう。）により判断し、着信履歴記憶部１０５Ａとワン切り履歴記憶部１０５Ｂへ振り分けて記憶する制御機能、等を有する。ここで、着信中の呼とは、着信信号（呼出信号）や着信から応答、通話等の呼の継続を意味する。
【００１５】
以上の本実施の形態の構成、機能により、携帯電話機１０が着信を受けた場合、無線系回路１０２は変調データを送受し、制御系回路１０４は無線系回路１０２からの受信データを解析し、音声着信を認識すると、着信をユーザに通知すべく、ディスプレイ１０３を制御し、着信表示を行い、音声系回路１０６を制御し、スピーカ１０８に着信を表す着信音を鳴動させ、適宜、時計回路１０９より時刻情報を呼び出し、ディスプレイ１０３に時刻を表示する。
【００１６】
更に、制御系回路１０４は、前述の受信データに発信者のＩＤ情報として電話番号（発番）情報が含まれている場合、着信履歴の動作モードに応じて、記憶回路１０５の着信履歴記憶部１０５Ａ又はワン切り履歴記憶部１０５Ｂに着信を受信した時刻と共に前記電話番号情報等の内容を格納する。
【００１７】
そして、制御系回路１０４は、任意の時間のユーザからのキーボード１０１の操作により、着信履歴記憶部１０５Ａ及びワン切り履歴記憶部１０５Ｂの何れかの履歴情報を読み出し着信履歴表示として、着信を受けた時刻、発信者の電話番号情報、応答／不応答等をディスプレイ１０３に表示する機能、及びユーザの着信履歴表示の確認によるキーボード１０１の操作によりワン切り着信を含む着信相手にコールバック制御を行う機能をも有する。
【００１８】
（動作の説明）
次に、本実施の形態の着信の判定及び着信履歴データの記憶、表示動作について詳細に説明する。最初に従来の着信履歴と同様の通常モードの機能について説明する。
【００１９】
図２は着信履歴の表示例を示す図である。通常モードにおいては、制御系回路１０４は、着信に対し、着信継続時間にかかわらず全ての着信データを着信履歴記憶部１０５Ａに記憶する制御を行う。記憶可能な履歴件数は最大件数（２０件）が設定されており、最大値を超えると着信を受けた時間の古い順に自動的に削除する機能を有している。以上の制御動作は通常の処理動作により可能であり説明は省略する。図２に示す着信履歴の表示例では、着信を受けた際の月日時分、相手の電話番号（非通知の場合は記録、表示なし）又は電話帳登録の参照による登録された名前、着信への応答有無が表示されている。
【００２０】
図３、図４は、ワン切り着信が立て続けに行われた場合の着信履歴と表示例を示す図である。通常モードでは、図３に示すようなワン切り着信等の履歴があった場合、着信履歴記憶部はワン切り着信が記憶可能な最大件数（２０件分）の全ての記憶箇所を埋め尽くす場合もあって、図４に示す表示においてユーザは真に必要な情報を失うことがあるとともに心理的にも苦痛を強いられることがある。
【００２１】
次に、ワン切り対策として、所定条件を満たすか否かによりワン切り着信でないと想定される発信者の電話番号等のみを着信履歴記憶部１０５Ａに記録するワン切り排除モードについて説明する。
図５は、ワン切り排除モードの動作フローを示す図である。着信呼の有用性の判定として、着信を検出した時からの経過時間を計測し、計測結果が予め設定された所定の時間以上か否かにより、短時間しか着信が継続しない発信者の電話番号等をワン切り履歴記憶部１０５Ｂに記録する。
【００２２】
制御系回路１０４は、個々の音声着信の終了の際にその着信が有効な電話であったか否かの判定を行い、音声着信終了時に、応答ありか否かを判断する（ステップｓ１）。
着信に対しユーザが応答（オフフック）した場合、通話が成立しているため着信履歴記憶部１０５Ａの着信履歴に着信の時間及び発呼者又は発番号を記録、保存する（ステップｓ２）。また、着信に対しユーザが応答しなかった場合は、着信開始から設定時間内に着信が終了したか否かを判断する（ステップｓ３）。着信開始から設定時間内に着信が終了した場合はワン切り着信と判定し、着信履歴記憶部１０５Ａには記録、保存しない。また、ステップ３で着信開始から設定時以上たった後に着信が終了した場合は、発信者はユーザが着信に応答することを待っていると判断され、ワン切り着信ではないと判定し着信履歴記憶部１０５Ａに着信の時間及び発呼者又は発番号を記録、保存する（ステップｓ２）。
【００２３】
以上の判定処理により、着信履歴記憶部１０５Ａには通話した発信者の情報、応答はしないが所定の着信継続時間の発信者の情報のみが着信履歴として残される。但しこの場合、ワン切り着信でないものも完全に排除される。
【００２４】
次に、本発明の特徴とするワン切り対策モードの実施の形態について説明する。
図６は、本実施の形態の動作を示すフロー図である。着信を検出した時からの呼の経過時間を計測し、計測結果が予め設定された所定時間以上か否かにより、発信者情報を着信履歴記憶部１０５Ａ又はワン切り履歴記憶部１０５Ｂに振り分けて記録する制御系回路１０４の動作を示す図である。
【００２５】
音声着信終了時に、応答ありか否かを判断する（ステップｓ１）。着信に対しユーザが応答（オフフック）した場合、通話が成立しているため着信履歴記憶部１０５Ａの着信履歴に着信時間及び発呼者又は発番号を記録、保存する（ステップｓ２）。また、着信に対しユーザが応答しなかった場合は、着信開始から設定時間内に着信が終了したか否かを判断する（ステップｓ３）。着信開始から設定時間内に着信が終了した場合はワン切り着信と判定し、ワン切り履歴記憶部１０５Ｂに記録、保存する（ステップｓ４）。また、ステップｓ３で着信開始から設定時以上たった後に着信が終了した場合は、発信者はユーザが応答することを待っていたものとしワン切り着信でないと判定して、着信履歴記憶部１０５Ａの着信履歴に着信の時間及び発呼者又は発番号を記録、保存する（ステップｓ２）。
【００２６】
図７は、図６に示す実施の形態による着信履歴の例を示す図である。着信履歴記憶部１０５Ａには通話した発信者の情報、応答はしないが所定の着信継続時間の発信者の情報のみが着信履歴として残され、ワン切り履歴記憶部１０５Ｂには、所定の着信継続時間以下の発信者の情報のみが着信履歴として残される。
【００２７】
ユーザは、キーボード１０１から着信履歴記憶部１０５Ａ又はワン切り履歴記憶部１０５Ｂの情報をディスプレイ１０３に表示する操作をして、必要な着信履歴を確認することが可能である。着信履歴記憶部１０５Ａのの情報の表示には不要な着信履歴が残っていない為、ワン切りによる心理的な苦痛にさいなまれることはない。また、着信継続時間の短い着信は全く削除されることなくワン切り履歴記憶部１０５Ｂに記憶されているから、これを表示することにより一見ワン切り着信のようにみえても有効な着信か否かを確認することができ、また、本来有効な特定のユーザ同士の同様な着信に対し、コールバック操作を行うことも可能である。
（他の実施の形態）
着信を着信履歴記憶部１０５Ａ又はワン切り履歴記憶部１０５Ｂに振り分け記録するようにした前記実施の形態においては、ワン切り履歴記憶部１０５Ｂにはワン切り着信のみが記録されるが、この構成でも、連続したワン切り着信等があれば、やはりワン切り履歴記憶部１０５Ｂの記憶容量を超え、その表示もワン切り着信により埋め尽くされるという難点がある。そこで、ワン切り履歴記憶部１０５Ｂの発信者の電話番号等の情報は重複を排除し最新の着信のみを記憶するように構成すると好適である。
【００２８】
図８は、ワン切り履歴記憶部１０５Ｂの着信の重複を防止した実施の形態の動作フローを示す図である。誰からの着信であったかに着目し、ワン切り履歴内の同じ発信者番号からのものは最新のものを記録する。又、件数が最大登録件数（１０件）を越える場合は、着信を受けた時間の古い順に自動的に削除する。
【００２９】
図５に示す動作フロー図と同様に、制御回路１０４は個々の音声着信の終了の際にその着信が有効なものであったか否かの判定を行う。
音声着信終了時に、応答ありか否かを判断し（ステップｓ１）、着信に対しユーザが応答（オフフック）した場合、通話が成立したことにより着信履歴記憶部１０５Ａの着信履歴に着信の時間及び発呼者又は発番号を記録、保存する（ステップｓ２）。また、着信に対しユーザが応答しなかった場合は、着信開始から設定時間内に着信が終了したか否かを判断する（ステップｓ３）。着信開始から設定時間内に着信が終了した場合はワン切り着信と判定し、次に、当該着信がワン切り履歴記憶部１０５Ｂにワン切り履歴として記録されているか否かを判断する（ステップｓ４）。ワン切り履歴記憶部１０５Ｂにワン切り履歴として記録されている場合は新たな記録、保存を行わない。また、ステップｓ４でワン切り履歴記憶部１０５Ｂにワン切り履歴として記録されていない場合は当該着信をワン切り履歴としてワン切り履歴記憶部１０５Ｂに記録、保存する（ステップｓ５）。ステップ３で着信開始から設定時間以上経過後に着信が終了した場合は、発信者はユーザが応答することを充分待っていたとし、ワン切り着信ではないと判定し、着信履歴記憶部１０５Ａの着信履歴に着信の時間及び発呼者又は発番号を記録、保存する（ステップｓ２）。
【００３０】
図９は、図８に示す実施の形態による着信履歴の例を示す図である。ワン切り履歴記憶部１０５Ｂには、所定の着信継続時間以下の発信者の情報のうち重複しないもののみが着信履歴として残される。着信履歴記憶部１０５Ａには着信に応答し通話した発信者の情報、着信に応答しないが所定の着信継続時間の発信者の情報のみが着信履歴として残される。
【００３１】
ユーザは、キーボード１０１から着信履歴記憶部１０５Ａ又はワン切り履歴記憶部１０５Ｂの情報をディスプレイ１０３に表示する操作をして、必要な着信履歴を確認することが可能であり、ワン切り履歴記憶部１０５Ｂがワン切り着信により埋め尽くされることもない。また、ワン切り履歴記憶部１０５Ｂの着信履歴に同一発信者からの情報が多数残っていることはないから、やはりワン切りによる心理的な苦痛は最小限にすることができる。
【００３２】
以上のように本実施の形態では、着信履歴とは独立したワン切り履歴を設けることで、設定した有用な着信履歴件数を確保でき、且つ、誰からもしくはどの番号からのワン切り着信であったかの確認もできるようにしている。
【００３３】
図１０は、ユーザがワン切り対策の設定を可能とした表示例を示す図である。ユーザがワン切り履歴記憶部１０５Ｂを用いた着信履歴の動作の有効／無効の選択、有効選択時の着信継続時間の設定及び着信履歴の重複の排除の有効／無効の選択を可能とする。キーボード１０１からのユーザのメニュー選択操作によりディスプレイ１０３に着信履歴の設定メニュー表示の指示を行う。制御系回路１０４は、図１０（ａ）に示すワン切りの着信履歴機能のＯＮ／ＯＦＦ表示、図１０（ｂ）の判定条件としての着信継続時間（履歴拒否時間）の設定する時間設定機能の入力表示、図１０（ｃ）の発信者情報の記録の重複排除機能のＯＮ／ＯＦＦ表示の各表示制御を順次行い。各画面でユーザが希望する項目を入力する。
【００３４】
以上の実施の形態においては、制御系回路１０４によるワン切り着信を判定する条件として着信の継続時間を判断条件としたが、着信の呼の継続時間に替えて着信回数（着信信号（呼出信号）回数）を採用することができることは明らかである。また、記憶回路１０５には制御系回路１０４により最新の所定着信数の着信履歴を全て格納する記憶部を全着信履歴記憶部として設けるように構成することができるほか、着信履歴記憶部１０５Ａに同様に着信履歴を全て格納するように構成することも可能である。また、着信履歴記憶部１０５Ａとワン切り履歴記憶部１０５Ｂへの制御系回路１０４による記録の各動作モードは、ユーザのキーボード１０１からの選択操作により全ての組み合わせのそれぞれ有効／無効を選択切り替えるように構成することが可能である。
【００３５】
【発明の効果】
本発明によれば、本来の着信履歴内には有用な着信件数を確保することが可能でありワン切りのような短時間の着信、僅かな着信回数の呼のような迷惑電話等の履歴は移動通信端末に残っていないので、ワン切り着信等によるユーザに不快な思い、心理的な苦痛を軽減することができる。
【００３６】
また、本発明によれば、ワン切り着信は本来の着信履歴から独立したワン切り履歴として保存することにより、本来の着信を着信履歴として利用するユーザの移動通信端末の使用に影響を与えることを回避とともに、ワン切り履歴の利用者にも有効に利用することが可能である。
【００３７】
更に、ワン切り履歴の機能の有効／無効の選択設定をユーザにより可能とし、また、ワン切り着信の判定条件の設定をもユーザにより可能とすることにより、ユーザは移動通信端末の使用目的にあわせてワン切り対策の有無及びワン切り着信の振り分けの程度を適宜変更することが可能である。
【図面の簡単な説明】
【図１】本発明の実施の形態の移動通信端末としての携帯電話機の構成を示すブロック図である。
【図２】通常の着信履歴の表示例を示す図である。
【図３】ワン切り着信が立て続けに行われた場合の着信履歴の例を示す図である。
【図４】ワン切り着信が立て続けに行われた場合の表示例を示す図である。
【図５】ワン切り排除モードの動作フローを示す図である。
【図６】他の実施の形態の動作を示すフロー図である。
【図７】図６に示す実施の形態による着信履歴の例を示す図である。
【図８】ワン切り履歴記憶部の着信の重複を防止した実施の形態を示すフロー図である。
【図９】図８に示す実施の形態による着信履歴の例を示す図である。
【図１０】ユーザがワン切り対策の設定を可能とする表示例を示す図である。
【符号の説明】
１０１  キーボード
１０２  無線系回路
１０３  ディスプレイ
１０４  制御系回路
１０５  記憶回路
１０５Ａ  着信履歴記憶部
１０５Ｂ  ワン切り履歴記憶部
１０６  音声系回路
１０７  マイク
１０８  スピーカ
１０９  時計回路
【図１】
2004242203.tif 000003
【図２】
2004242203.tif 000004
【図３】
2004242203.tif 000005
【図４】
2004242203.tif 000006
【図５】
2004242203.tif 000007
【図６】
2004242203.tif 000008
【図７】
2004242203.tif 000009
【図８】
2004242203.tif 000010
【図９】
2004242203.tif 000011
【図１０】
2004242203.tif 000012